(57)【要約】  呼吸器用送風装置は、第１筐体（１１０）を含む第１ユニットと、第２筐体（２１０）を含む第２ユニットと、を備え、第１筐体（１１０）は、第１導出口（１２２）を含み、第２筐体（２１０）は、第１導出口（１２２）に着脱可能に連結される接続口（２２１）と、第２導出口（２２２）とを含む。第２導出口（２２２）は、ホースが着脱可能に外嵌めされる第１外側接続部（Ｒ１）を外周面に有し、第１導出口（１２２）は、第１外側接続部（Ｒ１）と同一の外形を有する第２外側接続部（Ｒ２）を外周面に有し、かつ、接続口（２２１）が着脱可能に内嵌めされる内側接続部（Ｒ３）を内周面に有する。
2020175032.tif 000002
【特許請求の範囲】
【請求項１】
送風機および前記送風機を収容する第１筐体を含む第１ユニットと、
第２筐体を含むとともに前記第１ユニットに着脱可能に接続される第２ユニットと、を備え、
前記第１筐体は、前記第１筐体の外部に向けて空気を導出するための筒状の第１導出口を含み、
前記第２筐体は、前記第１導出口に着脱可能に連結される筒状の接続口と、前記接続口から導入された空気を前記第２筐体の外部に向けて導出するための筒状の第２導出口とを含み、
前記第２導出口は、空気搬送用のホースが着脱可能に外嵌めされる第１外側接続部を外周面に有し、
前記第１導出口は、前記第１外側接続部と同一の外形を有する第２外側接続部を外周面に有し、かつ、前記接続口が着脱可能に内嵌めされる内側接続部を内周面に有する、呼吸器用送風装置。
【請求項２】
前記内側接続部および前記第２外側接続部は、前記第１導出口の径方向において重なるように設けられている、請求項１に記載の呼吸器用送風装置。
【請求項３】
前記第１導出口は、開口端側に設けられた第１内周面と、前記第１内周面よりも送風方向上流側に位置し、前記第１内周面よりも内径が小さい第２内周面と、前記第１内周面および前記第２内周面を接続する段差部と、を含み、
前記内側接続部は、前記第１内周面に設けられており、
前記第１内周面の内側に前記接続口が挿入される、請求項１または２に記載の呼吸器用送風装置。
【請求項４】
前記第２内周面の内径と前記接続口の内周面の内径とが略同一である、請求項３に記載の呼吸器用送風装置。
【請求項５】
前記第１内周面の内側に前記接続口が挿入された状態において、前記第２内周面と、前記接続口の内周面とが面一に連続する、請求項４に記載の呼吸器用送風装置。
【請求項６】
前記第１導出口に前記接続口が挿入された状態において、前記第１導出口と前記接続口とに挟持されるシール部をさらに備える、請求項１から５のいずれか１項に記載の呼吸器用送風装置。
【請求項７】
前記第２筐体は、前記接続口から導入された空気に微小液滴を混合するための混合室を含み、
前記接続口は、送風方向上流側から前記混合室に接続され、
前記第２導出口は、送風方向下流側から前記混合室に接続され、
前記第２導出口の内径は、前記接続口の内径よりも大きい、請求項１から６のいずれか１項に記載の呼吸器用送風装置。
【請求項８】
送風機および前記送風機を収容する第１筐体を含む第１ユニットと、
第２筐体を含むとともに前記第１ユニットに着脱可能に接続される第２ユニットと、
前記第１ユニットおよび前記第２ユニットのそれぞれに着脱可能に接続されるアダプタと、を備え、
前記第１筐体は、前記第１筐体の外部に向けて空気を導出するための筒状の第１導出口を含み、
前記第２筐体は、前記第１導出口に着脱可能に連結される筒状の接続口と、前記接続口から導入された空気を前記第２筐体の外部に向けて導出するための筒状の第２導出口と、を含み、
前記アダプタは、空気搬送用のホースが着脱可能に外嵌めされる外側接続部を外周面に有する一端側と、前記第１導出口または前記第２導出口に着脱可能に連結される接続ポートが設けられた他端側とを有し、
前記第１導出口に接続される部分の前記接続ポートの外形と前記第１導出口に接続される部分の前記接続口の外形とは、同一であり、
前記第１導出口に接続される部分の前記接続ポートの外形は、前記外側接続部が設けられている部分の前記アダプタの外形よりも小さい、呼吸器用送風装置。
【請求項９】
前記第１導出口および前記第２導出口の各々は、前記接続ポートが着脱可能に内嵌めされる内周側接続領域を有する、請求項８に記載の呼吸器用送風装置。
【請求項１０】
前記第２筐体は、前記接続口から導入された空気に微小液滴を混合するための混合室を含み、
前記接続口は、送風方向上流側から前記混合室に接続され、
前記第２導出口は、送風方向下流側から前記混合室に接続され、
前記第２導出口の内径は、前記接続口の内径よりも大きく、
前記接続ポートは、外側筒状部と、前記アダプタの前記他端側に向けて前記外側筒状部から突出するように前記外側筒状部の内側に配置された内側筒状部とを含み、
前記アダプタを前記第１ユニットに取り付ける際に、前記外側筒状部から突出する部分の前記内側筒状部が、前記第１導出口に挿入され、
前記アダプタを前記第２ユニットに取り付ける際に、前記外側筒状部が前記第２導出口に挿入される、請求項９に記載の呼吸器用送風装置。
【請求項１１】
前記外側筒状部から突出する部分の前記内側筒状部が、前記第１導出口に挿入された状態において、前記第１筐体と前記外側筒状部とに挟まれるシール部をさらに備える、請求項１０に記載の呼吸器用送風装置。
【発明の詳細な説明】
【技術分野】
【０００１】
本発明は、呼吸器用送風装置に関する。
【背景技術】
【０００２】
睡眠中に呼吸が止まってしまう睡眠時無呼吸症候群は、空気の通り道である気道が物理的に狭くなることが原因とされている。睡眠時無呼吸症候群の有効な治療方法として、ＣＰＡＰ装置を用いた治療方法がある。【０００３】
ＣＰＡＰ装置は、睡眠中に無呼吸となるのを防ぐために、気道に空気を送り続けて気道を開かせる装置である。ＣＰＡＰ装置は、装置内部に送風機が設けられた送風ユニットを備えている。ＣＰＡＰ装置は、装置内に吸入した空気を使用者の鼻または口に装着したマスクに、空気搬送用のホース（エアチューブ）を介して送り込むように構成されている。【０００４】
このＣＰＡＰ装置には、特表２０１２−５１７８５０号公報（特許文献１）に開示されているように、送風ユニットに加湿ユニットが取り付けられる場合があり、当該加湿ユニットが取り付けられたＣＰＡＰ装置においては、使用者に送り込む空気に対して加湿が行なわれる。特許文献１に記載の送風ユニットにあっては、空気を外部に導出するための導出口が設けられており、導出口の周囲を取り囲むように筐体の一部が内側に向けて窪んでいる。
【先行技術文献】
【特許文献】
【０００５】
【特許文献１】特表２０１２−５１７８５０号公報
【発明の概要】
【発明が解決しようとする課題】
【０００６】
一般的に、空気搬送用のホースは規格化されており、当該ホースを送風ユニットに取り付ける場合には、送風ユニットの上記導出口の周囲に形成された筐体の窪みにホースの一端を差し込んで、ホースを導出口に外嵌めする。同様に、加湿ユニットを送風ユニットに取り付ける場合にも、加湿ユニットに設けられた接続口（空気導入口）を、送風ユニットにおける上記筐体の窪みに差し込んで、当該接続口を上記導出口に外嵌めする。【０００７】
規格化されたホースは、可撓性および柔軟性を有するため、導出口に密着して接続させることが可能となる。しかしながら、加湿ユニットの接続口を導出口に外嵌めする場合には、接続口の口径が大きくなってしまう。【０００８】
この場合には、直接的あるいは間接的に接続口の内表面を導出口の外表面に圧接させた場合には、周方向に亘って接続口の受圧面積が大きくなり、接続口と導出口との密閉性を十分に確保することが困難となる。【０００９】
本発明は、上記のような問題に鑑みてなされたものであり、本発明の目的は、第１ユニットと当該第１ユニットに着脱可能な第２ユニットを備える呼吸器用送風装置において、規格化されたホースと第１ユニットまたは第２ユニットとの接続、ならびに、第１ユニットと第２ユニットとの接続をそれぞれで最適化可能な呼吸器用送風装置を提供することにある。
【課題を解決するための手段】
【００１０】
本開示の第１態様に基づく呼吸器用送風装置は、送風機および上記送風機を収容する第１筐体を含む第１ユニットと、第２筐体を含むとともに上記第１ユニットに着脱可能に接続される第２ユニットと、を備える。上記第１筐体は、上記第１筐体の外部に向けて空気を導出するための筒状の第１導出口を含む。上記第２筐体は、上記第１導出口に着脱可能に連結される筒状の接続口と、上記接続口から導入された空気を上記第２筐体の外部に向けて導出するための筒状の第２導出口とを含む。上記第２導出口は、空気搬送用のホースが着脱可能に外嵌めされる第１外側接続部を外周面に有する。上記第１導出口は、上記第１外側接続部と同一の外形を有する第２外側接続部を外周面に有し、かつ、上記接続口が着脱可能に内嵌めされる内側接続部を内周面に有する。【００１１】
なお、同一とは完全に同一との意味では無く、設計誤差や公差等の製造上の誤差を含むものとある。以下においても同様である。【００１２】
上記本開示の第１態様に基づく呼吸器用送風装置にあっては、上記内側接続部および上記第２外側接続部は、上記第１導出口の径方向において重なるように設けられていてもよい。【００１３】
上記本開示の第１態様に基づく呼吸器用送風装置にあっては、上記第１導出口は、開口端側に設けられた第１内周面と、上記第１内周面よりも送風方向上流側に位置し、上記第１内周面よりも内径が小さい第２内周面と、上記第１内周面および上記第２内周面を接続する段差部と、を含んでいてもよい。この場合には、上記内側接続部は、上記第１内周面に設けられていることが好ましく、上記第１内周面の内側に上記接続口が挿入されることが好ましい。【００１４】
上記本開示の第１態様に基づく呼吸器用送風装置にあっては、上記第２内周面の内径と上記接続口の内周面の内径とが略同一であってもよい。【００１５】
上記本開示の第１態様に基づく呼吸器用送風装置にあっては、上記第１内周面の内側に上記接続口が挿入された状態において、上記第２内周面と、上記接続口の内周面とが面一に連続することが好ましい。【００１６】
上記本開示の第１態様に基づく呼吸器用送風装置は、上記第１導出口に上記接続口が挿入された状態において、上記第１導出口と上記接続口とに挟持されるシール部をさらに備えていてもよい。【００１７】
上記本開示の第１態様に基づく呼吸器用送風装置にあっては、上記第２筐体は、上記接続口から導入された空気に微小液滴を混合するための混合室を含んでいてもよい。この場合には、上記接続口は、送風方向上流側から上記混合室に接続されることが好ましく、上記第２導出口は、送風方向下流側から上記混合室に接続されることが好ましい。さらにこの場合には、上記第２導出口の内径は、上記接続口の内径よりも大きくてもよい。【００１８】
上記本開示の第２態様に基づく呼吸器用送風装置は、送風機および上記送風機を収容する第１筐体を含む第１ユニットと、第２筐体を含むとともに上記第１ユニットに着脱可能に接続される第２ユニットと、上記第１ユニットおよび上記第２ユニットのそれぞれに着脱可能に接続されるアダプタと、を備える。上記第１筐体は、上記第１筐体の外部に向けて空気を導出するための筒状の第１導出口を含む。上記第２筐体は、上記第１導出口に着脱可能に連結される筒状の接続口と、上記接続口から導入された空気を上記第２筐体の外部に向けて導出するための筒状の第２導出口と、を含む。上記アダプタは、空気搬送用のホースが着脱可能に外嵌めされる外側接続部を外周面に有する一端側と、上記第１導出口または上記第２導出口に着脱可能に連結される接続ポートが設けられた他端側とを有する。上記第１導出口に接続される部分の上記接続ポートの外形と上記第１導出口に接続される部分の上記接続口の外形とは、同一である。上記第１導出口に接続される部分の上記接続ポートの外形は、上記外側接続部が設けられている部分の上記アダプタの外形よりも小さい。【００１９】
上記本開示の第２態様に基づく呼吸器用送風装置にあっては、上記第１導出口および上記第２導出口の各々は、上記接続ポートが着脱可能に内嵌めされる内周側接続領域を有していてもよい。【００２０】
上記本開示の第２態様に基づく呼吸器用送風装置にあっては、上記第２筐体は、上記接続口から導入された空気に微小液滴を混合するための混合室を含んでいてもよい。この場合には、上記接続口は、送風方向上流側から上記混合室に接続されることが好ましく、上記第２導出口は、送風方向下流側から上記混合室に接続されることが好ましい。さらにこの場合には、上記第２導出口の内径は、上記接続口の内径よりも大きくてもよい。また、上記接続ポートは、外側筒状部と、上記アダプタの上記他端側に向けて上記外側筒状部から突出するように上記外側筒状部の内側に配置された内側筒状部とを含んでいてもよい。この場合には、上記アダプタを上記第１ユニットに取り付ける際に、上記外側筒状部から突出する部分の上記内側筒状部が、上記第１導出口に挿入されることが好ましく、上記アダプタを上記第２ユニットに取り付ける際に、上記外側筒状部が上記第２導出口に挿入されることが好ましい。【００２１】
上記本開示の第２態様に基づく呼吸器用送風装置は、上記外側筒状部から突出する部分の上記内側筒状部が、上記第１導出口に挿入された状態において、上記第１筐体と上記外側筒状部とに挟まれるシール部をさらに備えていてもよい。
【発明の効果】
【００２２】
本発明によれば、第１ユニットと当該第１ユニットに着脱可能な第２ユニットを備える呼吸器用送風装置において、規格化されたホースと第１ユニットまたは第２ユニットとの接続、ならびに、第１ユニットと第２ユニットとの接続をそれぞれで最適化可能な呼吸器用送風装置を提供することができる。
【図面の簡単な説明】
【００２３】
【図１】実施の形態１に係るＣＰＡＰ装置の送風ユニットおよび加湿ユニットの着脱態様を示す斜視図である。
【図２】図１に示す着脱態様を別の角度から見た斜視図である。
【図３】実施の形態１に係るＣＰＡＰ装置において、加湿ユニットを送風ユニットに取り付けた状態を示す斜視図である。
【図４】実施の形態１に係るＣＰＡＰ装置の第１使用状態および第２使用状態を示す模式図である。
【図５】実施の形態１に係るＣＰＡＰ装置の第１使用状態における機能ブロックの構成を示す図である。
【図６】実施の形態１に係るＣＰＡＰ装置において、加湿ユニットと送風ユニットの接続構造を示す模式断面図である。
【図７】加湿ユニットに設けられる第２導出口の設置位置の変形例を示す図である。
【図８】実施の形態１に係るＣＰＡＰ装置において、送風ユニットの導入口において異物の侵入を抑制する様子を示す図である。
【図９】加湿ユニットと送風ユニットの接続構造の第１変形例を示す図である。
【図１０】加湿ユニットと送風ユニットの接続構造の第２変形例を示す図である。
【図１１】加湿ユニットと送風ユニットの接続構造の第３変形例を示す図である。
【図１２】加湿ユニットと送風ユニットの接続構造の第４変形例を示す図である。
【図１３】実施の形態２に係るＣＰＡＰ装置の送風ユニット、加湿ユニット、およびアダプタを示す分解模式図である。
【図１４】実施の形態２に係るアダプタの上面図である。
【図１５】実施の形態２に係るＣＰＡＰ装置の第１使用状態を示す図である。
【図１６】実施の形態２に係るＣＰＡＰ装置の第２使用状態を示す図である。
【図１７】加湿ユニットとアダプタの接続構造の変形例を示す図である。
【図１８】送風ユニットとアダプタの接続構造の変形例を示す図である。
【発明を実施するための形態】
【００２４】
以下、本発明の実施の形態について、図を参照して詳細に説明する。なお、以下に示す実施の形態においては、同一のまたは共通する部分について図中同一の符号を付し、その説明は繰り返さない。
【００２５】
以下、本発明の実施の形態について、図を参照して詳細に説明する。以下に示す実施の形態は、呼吸器用送風装置としてのＣＰＡＰ装置に本発明を適用した場合を例示するものである。なお、以下に示す実施の形態においては、同一のまたは共通する部分について図中同一の符号を付し、その説明は繰り返さない。
【００２６】
（実施の形態１）
図１は、実施の形態１に係るＣＰＡＰ装置の送風ユニットおよび加湿ユニットの着脱態様を示す斜視図である。図２は、図１に示す着脱態様を別の角度から見た斜視図である。図３は、実施の形態１に係るＣＰＡＰ装置において、加湿ユニットを送風ユニットに取り付けた状態を示す斜視図である。図１から図３を参照して、本実施の形態に係るＣＰＡＰ装置１Ａの概略的な構成およびその着脱態様について説明する。
【００２７】
図１ないし図３に示すように、ＣＰＡＰ装置１Ａは、第１ユニットとしての送風ユニット１００と、第２ユニットとしての加湿ユニット２００Ａとを備えている。このうち、送風ユニット１００は、送風機１４０（図５参照）と当該送風機１４０を収容する第１筐体１１０を主として備えたものである。加湿ユニット２００Ａは、加湿機構を構成する加圧室２１６および微小液滴を混合するための混合室２１７（図５参照）が主として設けられたものである。
【００２８】
加湿ユニット２００Ａは、送風ユニット１００に着脱可能に構成されている。ここで、本実施の形態に係るＣＰＡＰ装置１Ａにおいては、加湿ユニット２００Ａが送風ユニット１００に取付けられた状態と、加湿ユニット２００Ａが送風ユニット１００に取付けられていない状態と、の２つの状態において、その使用が可能となるように構成されている。
【００２９】
これは、ＣＰＡＰ装置１Ａを分割して複数のユニットにて構成するとともに、これら複数のユニットを相互に着脱自在に構成することにより、在宅時等のみならず外泊時等においても高い利便性が発揮されるようにするためである。すなわち、在宅時等においては、加湿ユニット２００Ａを送風ユニット１００に取付けることにより、上述した第１使用状態にてＣＰＡＰ装置１Ａを使用することができ、外泊時等においては、加湿ユニット２００Ａを送風ユニット１００に取付けなくとも、上述した第２使用状態にてＣＰＡＰ装置１Ａを使用することができる。
【００３０】
ＣＰＡＰ装置１Ａは、加湿ユニット２００Ａ上に送風ユニット１００が載置されることにより、加湿ユニット２００Ａが送風ユニット１００に取付けられるように構成されていてもよい。
【００３１】
送風ユニット１００は、偏平な略直方体形状の外形を有しており、その外殻が第１筐体１１０によって構成されている。第１筐体１１０は、使用状態において鉛直方向に並んで位置することになる上面および下面と、これら上面および下面を接続する４つの側面とを有している。
【００３２】
第１筐体１１０の上面は、操作部１３１が設けられた操作面１１１を構成している。第１筐体１１０の下面は、後述する第１使用状態において加湿ユニット２００Ａに載置され、かつ、後述する第２使用状態において床面やテーブル等に載置される載置面１１２を構成している。また、第１筐体１１０の４つの側面のうちの１つは、後述する第１使用状態において加湿ユニット２００Ａに接続される側となる第１側面１１３を構成している。
【００３３】
加湿ユニット２００Ａは、細長の略直方体形状の外形を有しており、その外殻が第２筐体２１０によって構成されている。第２筐体２１０は、使用状態において鉛直方向に並んで位置することになる上面および下面と、これら上面および下面を接続する４つの側面とを有しており、上面の四隅のうちの一箇所からは、上方に向けて突出する突出部が設けられている。
【００３４】
第２筐体２１０の下面は、後述する第１使用状態において床面やテーブル等に載置される載置面を構成している。第２筐体２１０の上面のうちの上述した突出部を除く部分は、後述する第１使用状態において送風ユニット１００が載置される被載置面２１２を構成している。この被載置面２１２のうちの所定位置には、開口部２１２ａが設けられている。当該開口部２１２ａは、後述する加圧室２１６に連通しており、当該加圧室２１６に後述する可撓性リザーバ２４１（図５参照）を出し入れするためのものである。なお、開口部２１２ａには、蓋体２１４が取付け可能に構成されており、常時は当該蓋体２１４によって開口部２１２ａが閉鎖されることになる。
【００３５】
また、上述した突出部の側面のうちの１つは、後述する第１使用状態においてホース３００（図４および図５参照）が接続される側となる側面２１１を構成しており、上述した突出部の側面のうちの他の１つは、後述する第１使用状態において送風ユニット１００に接続される側となる第２側面２１３を構成している。
【００３６】
第１筐体１１０の第１側面１１３には、第１筐体１１０の外部から空気を導入するための第１導入口１２１と、第１筐体１１０の内部から空気を導出するための第１導出口１２２が設けられている。第１導出口１２２は、筒状の形状を有する。
【００３７】
一方、第２筐体２１０の第２側面２１３には、第１導出口１２２に着脱可能に連結される筒状の接続口２２１が設けられている。接続口２２１は、第２筐体２１０の外部から空気を導入するためのものである。第２筐体２１０の側面２１１には、第２筐体２１０の内部から空気を導出するための第２導出口２２２が設けられている。第２導出口２２２は、筒状の形状を有する。
【００３８】
なお、第２筐体２１０の側面の所定位置には、第２筐体２１０の外部から第２筐体２１０の内部に設けられた後述する加圧室２１６に外気としての空気を取り込むための外気導入源としての圧電ポンプ２６０と、当該加圧室２１６から第２筐体２１０の外部へ空気を排出するための排気弁としての電磁弁２７０が設けられている。なお、外気導入源としての圧電ポンプ２６０は、加圧室２１６を加圧する加圧源に相当する。
【００３９】
以上により、図３に示すように、加湿ユニット２００Ａが送風ユニット１００に取付けられた状態においては、第１筐体１１０の載置面１１２が第２筐体２１０の被載置面２１２に対向して位置することになるとともに、第１筐体１１０の第１側面１１３が第２筐体２１０の第２側面２１３に対向して位置することになる。そのため、第１筐体１１０の第１側面１１３に設けられた第１導出口１２２が、第２筐体２１０の第２側面２１３に設けられた接続口２２１に接続される。なお、当該状態においても、第１筐体１１０に設けられた第１導入口１２１は、第２筐体２１０によって覆われることがないため、外部に向けて開放された状態にある。
【００４０】
図４は、本実施の形態に係るＣＰＡＰ装置の使用状態を模式的に表わした図であり、図４（Ａ）および図４（Ｂ）は、それぞれ第１使用状態および第２使用状態を示している。次に、この図４を参照して、本実施の形態に係るＣＰＡＰ装置１Ａの第１使用状態および第２使用状態について説明する。
【００４１】
図４（Ａ）に示すように、第１使用状態においては、上述したように、加湿ユニット２００Ａが送風ユニット１００に取付けられた状態でＣＰＡＰ装置１Ａが使用される。その場合、加湿ユニット２００Ａに設けられた第２導出口２２２にホース３００の一端が接続され、ホース３００の他端にマスク４００が接続される。
【００４２】
第１使用状態においては、送風ユニット１００に設けられた送風機１４０が駆動されることで、送風ユニット１００に設けられた第１導入口１２１からＣＰＡＰ装置１Ａの内部に空気が吸入され、吸入された空気が加湿ユニット２００Ａに設けられた第２導出口２２２からＣＰＡＰ装置１Ａの外部へと排出される。これにより、第２導出口２２２から排出された空気が、ホース３００およびマスク４００を経由して使用者の気道に送り込まれることになる。
【００４３】
図４（Ｂ）に示すように、第２使用状態においては、上述したように、加湿ユニット２００Ａが送風ユニット１００に取付けられていない状態でＣＰＡＰ装置１Ａが使用される。その場合、送風ユニット１００に設けられた第１導出口１２２にホース３００の一端が接続され、ホース３００の他端にマスク４００が接続される。
【００４４】
第２使用状態においては、送風ユニット１００に設けられた送風機１４０が駆動されることで、送風ユニット１００に設けられた第１導入口１２１からＣＰＡＰ装置１Ａの内部に空気が吸入され、吸入された空気が送風ユニット１００に設けられた第１導出口１２２からＣＰＡＰ装置１Ａの外部へと排出される。これにより、第１導出口１２２から排出された空気が、ホース３００およびマスク４００を経由して使用者の気道に送り込まれることになる。
【００４５】
ここで、マスク４００は、たとえば使用者の鼻または口を覆うように当てがわれて装着される。なお、マスク４００は、様々な種類の中から使用者にあった形状や構造のものを選択することが可能であり、図４に示した形状や構造はあくまでも一例である。
【００４６】
ＣＰＡＰ装置１Ａは、睡眠中に無呼吸となること防止すべく、空気の送り出しのタイミングを使用者の呼吸のタイミングにあわせつつも、気道に空気を送り続けて気道を開かせる装置である。そのため、ＣＰＡＰ装置１Ａにおいては、上述した第１使用状態および第２使用状態のいずれにおいても、後述する流量センサ１３３および圧力センサ１３４（図５参照）によって検出された流量および圧力等に基づいて後述する制御部１３０（図５参照）においてたとえばフィードバック制御やフィードフォワード制御等の各種の制御が行なわれることにより、送風機１４０の回転数が増減されて空気の送り出し量等が調整され、これによって使用者が睡眠中に無呼吸に陥ることを防止している。
【００４７】
図５は、本実施の形態に係るＣＰＡＰ装置の第１使用状態における機能ブロックの構成を示す図である。次に、この図５を参照して、本実施の形態に係るＣＰＡＰ装置１Ａの第１使用状態における機能ブロックの構成について説明する。
【００４８】
図５に示すように、ＣＰＡＰ装置１Ａは、制御部１３０と、操作部１３１と、温湿度センサ１３２と、流量センサ１３３と、圧力センサ１３４と、消費電力センサ１３５と、送風機１４０と、サイレンサー１５０と、可撓性リザーバ２４１と、ヒータ２５０と、温度センサ２５１と、圧電ポンプ２６０と、電磁弁２７０とを備えている。このうち、制御部１３０、操作部１３１、温湿度センサ１３２、流量センサ１３３、圧力センサ１３４、消費電力センサ１３５、送風機１４０およびサイレンサー１５０は、送風ユニット１００に設けられており、可撓性リザーバ２４１は、加湿ユニット２００Ａに設けられた後述する加圧室２１６に収容されており、ヒータ２５０、温度センサ２５１、圧電ポンプ２６０および電磁弁２７０は、加湿ユニット２００Ａに設けられている。また、加湿ユニット２００Ａには、水供給路２３０も設けられている。
【００４９】
送風ユニット１００の第１筐体１１０には、上述した第１導入口１２１および第１導出口１２２に加えて、第１流路１２０が設けられている。第１流路１２０は、第１導入口１２１および第１導出口１２２を結ぶように構成されている。
【００５０】
第１流路１２０には、送風機１４０が設けられている。送風機１４０は、たとえば遠心ファンにて構成される。送風機１４０は、第１筐体１１０に設けられ送風機室に設置されており、これにより第１流路１２０上に配置されている。
【００５１】
ここで、送風機１４０は、ケーシング１４２を有しており、ケーシング１４２には、送風機１４０の吸入口１４３および排出口１４４が設けられている。そのため、第１流路１２０は、第１筐体１１０に設けられた第１導入口１２１と送風機１４０に設けられた吸入口１４３とを結ぶ上流側流路部１２０Ａと、送風機１４０に設けられた排出口１４４と第１筐体１１０に設けられた第１導出口１２２とを結ぶ下流側流路部１２０Ｂとを含んでいる。
【００５２】
第１流路１２０のうちの第１導入口１２１と吸入口１４３との間に位置する部分である上流側流路部１２０Ａには、サイレンサー１５０が設けられていてもよい。サイレンサー１５０は、送風機１４０にて発生する騒音（送風機１４０に具備された駆動モータの動作音や風切り音等）が、第１導入口１２１を経由して外部に漏れ出すことを抑制するためのものである。
【００５３】
加湿ユニット２００Ａの第２筐体２１０には、上述した接続口２２１および第２導出口２２２に加えて、第２流路２２５が設けられている。第２流路２２５は、接続口２２１および第２導出口２２２を結ぶように構成されている。
【００５４】
当該第２流路２２５においては、加湿機構によって当該第２流路２２５を通過する空気の加湿が行なわれる。これにより、第１使用状態においては、使用者の気道に向けて送り出される空気に微小液体としての適度な水分５０１が付与されることになる。
【００５５】
第２流路２２５は、接続口２２１と混合室２１７とを接続する流路２２６と、第２導出口２２２と混合室２１７とを接続する流路２２７とを含む。すなわち、接続口２２１は、流路２２６を介して送風方向上流側から混合室２１７に接続されており、第２導出口２２２は、送風方向下流側から流路２２７を介して混合室２１７に接続されている。なお、接続口２２１は、混合室２１７に直接接続されていてもよい。同様に、第２導出口２２２は、混合室２１７に直接接続されていてもよい。
【００５６】
また、加湿ユニット２００Ａの内部には、上述したように水供給路２３０が設けられている。水供給路２３０は、可撓性リザーバ２４１と気化部としてのヒータ２５０とを接続しており、可撓性リザーバ２４１に貯留された水をヒータ２５０に送り出すためのものである。可撓性リザーバ２４１は、内部に水を貯留するバッグ状の部材からなり、水供給路２３０に着脱可能に接続されている。
【００５７】
ヒータ２５０は、供給された水を加熱することで気化させるものである。一方、圧電ポンプ２６０は、空気を圧送するエアポンプである。加湿ユニット２００Ａの外部の空気を取り込んで後述する加圧室２１６を加圧するためのものである。また、電磁弁２７０は、当該加圧室２１６の空気を加湿ユニット２００Ａの外部に排出して加圧室２１６を減圧するためのものである。
【００５８】
制御部１３０は、主たる構成要素として、プログラムを実行するＣＰＵ（Central  Processing  Unit）と、ＲＯＭ(Read  Only  Memory)／ＲＡＭ（Random  Access  Memory）と、送風機１４０、ヒータ２５０、圧電ポンプ２６０および電磁弁２７０を駆動する各駆動部と、温湿度センサ１３２、流量センサ１３３、圧力センサ１３４、消費電力センサ１３５および温度センサ２５１から入力された各種情報に基づいて各種の演算を行なう演算部等を有している。ＲＯＭ／ＲＡＭには、データを不揮発的に格納するＲＯＭと、ＣＰＵによるプログラムの実行により生成されたデータ、または、操作部１３１を介して入力されたデータを揮発的に格納するＲＡＭとが含まれる。制御部１３０の各構成要素は、相互にデータバスによって接続されている。
【００５９】
ＣＰＵにおける処理は、各ハードウェアおよびＣＰＵにより実行されるソフトウェアによって実現される。このようなソフトウェアは、ＲＯＭ／ＲＡＭに予め記憶されている。操作部１３１の操作の受付け、送風機１４０を駆動する駆動モータの制御、ヒータ２５０の制御、圧電ポンプ２６０の制御、電磁弁２７０の制御、上述した各種の演算なども、ソフトウェアによって実現される。
【００６０】
制御部１３０、送風機１４０、ヒータ２５０、圧電ポンプ２６０、電磁弁２７０等には、図示しない内部電源または図示しない外部電源によって電力が供給される。外部電源との接続には、たとえば図示しないＡＣ（Alternating  Current）アダプタ等が用いられる。
【００６１】
温湿度センサ１３２は、後において使用者の気道に送り込まれることになる、ＣＰＡＰ装置１Ａの外部から導入された空気の温度および湿度を測定するためのセンサであり、第１流路１２０のうちの上流側流路部１２０Ａに設けられている。当該温湿度センサ１３２にて検出された空気の温度および湿度は、制御部１３０に出力され、主として加湿機構による加湿動作に利用される。
【００６２】
流量センサ１３３は、ＣＰＡＰ装置１Ａとホース３００との間における空気の流量を測定するためのセンサであり、圧力センサ１３４は、送風機１４０が送り出す空気の圧力を測定するためのセンサである。これら流量センサ１３３および圧力センサ１３４は、呼吸状態検知部に相当し、いずれも第１流路１２０のうちの下流側流路部１２０Ｂに設けられている。
【００６３】
これら流量センサ１３３および圧力センサ１３４によって検出された流量および圧力は、制御部１３０に出力され、これら流量および圧力等に基づいて、制御部１３０においてたとえばフィードバック制御やフィードフォワード制御等の制御が行なわれることにより、送風機１４０の回転数が増減される。また、流量センサ１３３および圧力センサ１３４にて検出された空気の流量および圧力は、加湿機構による加湿動作にも利用される。
【００６４】
消費電力センサ１３５は、ヒータ２５０に供給された電力を測定するためのセンサであり、たとえば電流モニタ等によって構成される。当該消費電力センサ１３５によって検出された消費電力は、制御部１３０に出力され、主として加湿機構による加湿動作に利用される。
【００６５】
温度センサ２５１は、ヒータ２５０の温度を測定するためのセンサであり、ヒータ２５０に隣接して設けられている。当該温度センサ２５１にて検出されたヒータ２５０の温度は、制御部１３０に出力され、主として加湿機構による加湿動作に利用される。
【００６６】
なお、ＣＰＡＰ装置１Ａには、別途、ＬＣＤ（Liquid  Crystal  Display）や有機ＥＬ（Electro-Luminescence）ディスプレイ等からなる表示部が設けられていてもよい。ここで、表示部は、送風ユニット１００に設けられてもよいし、加湿ユニット２００Ａに設けられてもよい。また、操作部１３１は、図１ないし図３において示す如くの物理的な形状を有するボタンである必要はなく、たとえばＬＣＤの表示面に設けられたタッチパネル等であってもよい。操作部１３１のうち、ＣＰＡＰ装置１Ａの電源のＯＮ／ＯＦＦを切り替えるボタン以外のボタンは、加湿ユニット２００Ａに設けられてもよい。
【００６７】
ここで、第１使用状態においては、第１筐体１１０に設けられた第１導出口１２２と、第２筐体２１０に設けられた接続口２２１とが接続される。これにより、第１使用状態においては、第１流路１２０の下流側に第２流路２２５が接続されることになる。
【００６８】
そのため、第１使用状態においては、送風機１４０が駆動されることにより、第１導入口１２１から吸入された空気が、第１流路１２０および第２流路２２５をこの順で経由して第２導出口２２２から排出される。第２導出口２２２から排出された空気は、その後、ホース３００およびマスク４００を介して使用者の気道に送り込まれる。すなわち、当該第１使用状態においては、第１導入口１２１がＣＰＡＰ装置１Ａの内部に空気を吸入する吸気口として機能することになり、第２導出口２２２がＣＰＡＰ装置１Ａの内部から空気を排出する排気口として機能することになる。
【００６９】
図６は、実施の形態１に係るＣＰＡＰ装置において、加湿ユニットと送風ユニットの接続構造を示す模式断面図である。図６を参照して、加湿ユニット２００Ａと送風ユニット１００の接続構造について説明する。具体的には、接続口２２１および第１導出口１２２の具体的な形状について説明する。
【００７０】
図６に示すように、第２導出口２２２は、ホース３００が着脱可能に外嵌めされる第１外側接続部Ｒ１を外周面に有する。第２導出口２２２の内径は、接続口２２１の内径よりも大きくなっている。
【００７１】
第１導出口１２２は、上記第１外側接続部Ｒ１と同一の外形を有する第２外側接続部Ｒ２を外周面に有する。第１導出口１２２は、接続口２２１が着脱可能に内嵌めされる内側接続部Ｒ３を内周面に有する。
【００７２】
第１導出口１２２は、第１内周面１２２ａ、第２内周面１２２ｂ、段差部１２２ｃを有する。第１内周面１２２ａは、開口端側に設けられている。当該第１内周面１２２ａに、上記内側接続部Ｒ３が設けられている。
【００７３】
第２内周面１２２ｂは、第１内周面１２２ａよりも送風方向上流側に位置する。第２内周面１２２ｂの内径は、第１内周面１２２ａの内径よりも小さい。第２内周面１２２ｂの内径は、接続口２２１の内径と略同一である。段差部１２２ｃは、第１内周面１２２ａと第２内周面１２２ｂとを接続する。
【００７４】
加湿ユニット２００Ａを送風ユニット１００に取り付けた状態では、第１内周面１２２ａの内側に接続口２２１が挿入される。上述のように、第２内周面１２２ｂの内径が、接続口２２１の内径と略同一であることにより、第２内周面１２２ｂから接続口２２１に向けて空気が送風される際に、圧力損失を軽減させることができる。また、圧力損失を軽減させることで、風きり音を低減させることができる。
【００７５】
第１内周面１２２ａの内側に接続口２２１が挿入された状態においては、第２内周面１２２ｂと、接続口２２１の内周面とが面一に連続することが好ましい。これにより、接続端部においても圧力損失を軽減させることができ、風きり音をさらに低減させることができる。
【００７６】
また、第１導出口１２２は、接続口２２１を内嵌めする構成となっているため、接続口を外嵌めする構成と比較して、接続口２２１の内径が小さくなっている。このため、接続口２２１を通って混合室２１７に送風される空気の流速を早くすることができる。これにより、混合室２１７内で空気の撹拌を促進することができ、微小液滴としての水分５０１を空気内に効果的に混合することができる。これにより、効率的に空気を加湿することができる。
【００７７】
また、第２導出口２２２の内径は、接続口２２１の内径よりも大きくなっている。これにより、混合室２１７から空気が接続口２２１を通って排出される際には、混合室２１７に導入される場合よりも流速が遅くなる。このことによっても、接続口２２１から導入される空気内に水分５０１を効果的に混合することができる。
【００７８】
図７は、加湿ユニットに設けられる第２導出口の設置位置の変形例を示す図である。図７に示すように、第２導出口２２２を第２筐体２１０の上面に設けた場合には、第２導出口２２２は、接続口２２１の軸方向から外れた位置に位置する。具体的には、第２導出口２２２の軸方向は、接続口２２１の軸方向に交差する方向であってもよく、たとえば、接続口２２１の軸方向に垂直な方向であってもよい。また、第２導出口２２２の軸方向は、接続口２２１の軸方向とねじれの位置の関係となってもよい。
【００７９】
このような場合には、混合室２１７に導入された空気が、直接第２導出口２２２に向かうことを抑制できるため、混合室２１７でより効果的に空気を撹拌することができる。
【００８０】
再び図６に示すように、内側接続部Ｒ３および第２外側接続部Ｒ２は、第１導出口１２２の径方向において重なるように設けられている。これにより、内側接続部Ｒ３が第２外側接続部Ｒ２の送風方向上流側に設けられる構造と比較して、接続口２２１の挿入領域を短くすることができる。
【００８１】
さらに、ＣＰＡＰ装置１Ａは、第１導出口１２２に接続口２２１が挿入された状態において、第１導出口１２２と接続口２２１とに挟持されるシール部５００をさらに備える。シール部５００は、接続口２２１の外周面と第１内周面１２２ａとの間に配置されている。シール部５００は、環状形状を有し、たとえば、パッキン等の弾性を有するゴム部材によって構成されている。
【００８２】
このように、接続口２２１と第１導出口１２２との間にシール部５００を設けることにより、第１導出口１２２が第１筐体１１０から突出し、接続口２２１が第２筐体２１０から突出するように設けられる場合であっても、簡便に漏気を防止することができる。
【００８３】
シール部５００は、たとえば、第１内周面１２２ａに固定されている。より具体的には、シール部５００は、第１内周面１２２ａに設けられた環状の溝部に圧入されている。このように、第１導出口１２２の開口端に近い部分にシール部５００を設けることにより、シール部５００が劣化した場合であっても、シール部５００を容易に交換することができる。
【００８４】
また、第１導出口１２２が第１筐体１１０から突出し、接続口２２１が第２筐体２１０から突出するように設けられることにより、第１側面１１３および第２側面２１３の一部を環状に凹ませた環状凹部内に第１導出口１２２、接続口２２１を設ける場合と比較して、第１筐体１１０の内部空間および第２筐体２１０の内部空間が広くなる。これにより、内部空間に、サイレンサー１５０等の部材を配置しやすくなる。
【００８５】
図８は、実施の形態１に係るＣＰＡＰ装置において、送風ユニットの導入口において異物の侵入を抑制する様子を示す図である。
【００８６】
図８に示すように、送風ユニット１００から加湿ユニット２００Ａが取り外されており、かつホース３００が送風ユニット１００に取り付けられていない状態においては、第１導出口１２２は、外部空間に開放されている。このため、第１導出口１２２内に埃等の異物１０が入り込んでくる場合もある。
【００８７】
上述のように、第１導出口１２２においては、第１内周面１２２ａと第２内周面１２２ｂとの間に段差部１２２ｃが設けられている。このため、第１導出口１２２内に異物１０が入り込んだ場合であっても、段差部１２２ｃによって当該異物をせき止めることができる。これにより、異物１０が第１筐体１１０のさらに内側へ侵入することを防止することができる。
【００８８】
以上のように、ＣＰＡＰ装置１Ａの第２使用状態においては、送風ユニット１００に設けられた第１導出口１２２の第２外側接続部Ｒ２にホース３００を外嵌めすることができる。ホース３００は可撓性および柔軟性を有するため、当該ホース３００を第１導出口１２２に密着して接続させることができる。
【００８９】
ＣＰＡＰ装置１Ａの第１使用状態においては、加湿ユニット２００Ａに設けられた第２導出口２２２の第１外側接続部Ｒ１にホース３００を外嵌めすることができる。この場合においても、ホース３００を第２導出口２２２に密着して接続させることができる。
【００９０】
また、加湿ユニット２００Ａを送風ユニット１００に取り付ける際には、上述のように、加湿ユニット２００Ａに設けられた接続口２２１を、上記第１導出口１２２に内嵌めすることができる。
【００９１】
このため、接続口を第１導出口１２２に外嵌めする構成と比較して、実施の形態１における接続口２２１の形状を小さくすることができ、第１導出口１２２の内表面を接続口２２１の外表面に圧接させた場合に、周方向において、接続口２２１の受圧面積を小さくすることができる。この結果、接続口２２１と第１導出口１２２との密閉性を容易に確保することができる。
【００９２】
このように、実施の形態１に係るＣＰＡＰ装置１Ａにあっては、規格化されたホース３００と、送風ユニット１００または加湿ユニット２００Ａとの接続、ならびに、送風ユニット１００と加湿ユニット２００Ａとの接続をそれぞれで最適化することができる。
【００９３】
以下、図９から図１２を参照して、加湿ユニットと送風ユニットの接続構造の第１変形例から第４変形例について説明する。なお、第１変形例から第４変形例においては、接続口２２１および第１導出口１２２との接続態様が実施形態１と比較して相違する。その他の構成については実施の形態１とほぼ同様である。このため、図９から図１２においては、便宜上のため、接続口２２１および第１導出口１２２のみを図示している。
【００９４】
（第１変形例）
図９は、加湿ユニットと送風ユニットの接続構造の第１変形例を示す図である。図９に示すように、第１変形例においては、第１導出口１２２の内周面１２２ｄに段差部が設けられておらず、内周面１２２ｄは、送風方向に連続している。第１導出口１２２の外周面には、ホースが着脱可能に接続される第２外側接続部Ｒ２が形成されている。
【００９５】
また、シール部５００は、接続口２２１の外周面上に設けられている。具体的には、シール部５００は、接続口２２１の外周面に外嵌めされている。接続口２２１を第１導出口１２２の内部に挿入することにより、シール部５００が接続口２２１の外周面と第１導出口１２２の内周面１２２ｄとの間に挟持された状態で、接続口２２１が第１導出口１２２に接続される。以上のように構成される場合であっても、実施の形態１とほぼ同様の効果が得られる。
【００９６】
（第２変形例）
図１０は、加湿ユニットと送風ユニットの接続構造の第２変形例を示す図である。図１０に示すように、第２変形例においても、第１導出口１２２の内周面１２２ｄに段差部が設けられておらず、内周面１２２ｄは、送風方向に連続している。第１導出口１２２の外周面には、ホースが着脱可能に接続される第２外側接続部Ｒ２が形成されている。
【００９７】
シール部５００は、第１導出口１２２の内周面１２２ｄ上に設けられている。接続口２２１を第１導出口１２２の内部に挿入することにより、シール部５００が接続口２２１の外周面と第１導出口１２２の内周面１２２ｄとの間に挟持された状態で、接続口２２１が第１導出口１２２に接続される。以上のように構成される場合であっても、実施の形態１とほぼ同様の効果が得られる。
【００９８】
（第３変形例）
図１１は、加湿ユニットと送風ユニットの接続構造の第３変形例を示すである。図１１に示すように、第３変形例においては、第１導出口１２２は、第１内周面１２２ａと第２内周面１２２ｂとの間に段差部１２２ｃが設けられている。第１導出口１２２の外周面には、ホースが着脱可能に接続される第２外側接続部Ｒ２が形成されている。
【００９９】
シール部５００は、段差部１２２ｃ上に設けられている。この場合には、接続口２２１の外周面が第１導出口１２２の第１内周面１２２ａに摺動するように、接続口２２１を第１導出口１２２の内部に挿入する。これにより、接続口２２１が第１導出口１２２の内部に圧入され、接続口２２１の開口端と段差部１２２ｃとの間にシール部５００が挟持された状態で、接続口２２１が第１導出口１２２に接続される。以上のように構成される場合であっても、実施の形態１とほぼ同様の効果が得られる。
【０１００】
（第４変形例）
図１２は、加湿ユニットと送風ユニットの接続構造の第４変形例を示す図である。図１２に示すように、第４変形例においては、第１導出口１２２は、第１内周面１２２ａと第２内周面１２２ｂとの間に段差部１２２ｃが設けられている。第１導出口１２２の外周面には、ホースが着脱可能に接続される第２外側接続部Ｒ２が形成されている。
【０１０１】
シール部５００は、接続口２２１の開口端に設けられている。この場合には、接続口２２１の外周面が第１導出口１２２の第１内周面１２２ａに摺動するように、接続口２２１を第１導出口１２２の内部に挿入する。これにより、接続口２２１が第１導出口１２２の内部に圧入され、接続口２２１の開口端と段差部１２２ｃとの間にシール部５００が挟持された状態で、接続口２２１が第１導出口１２２に接続される。以上のように構成される場合であっても、実施の形態１とほぼ同様の効果が得られる。
【０１０２】
（実施の形態２）
図１３は、実施の形態２に係るＣＰＡＰ装置において、加湿ユニットを送風ユニットに取り付けた状態を示す模式図である。図１３を参照して、実施の形態２に係るＣＰＡＰ装置１Ｂについて説明する。
【０１０３】
図１３に示すように、実施の形態２に係るＣＰＡＰ装置１Ｂは、実施の形態１に係るＣＰＡＰ装置１Ａと比較した場合に、ホース３００を送風ユニット１００または加湿ユニット２００Ａに取り付ける際に、アダプタ６００を用いる点が主として相違する。
【０１０４】
ＣＰＡＰ装置１Ｂは、送風ユニット１００、加湿ユニット２００Ａ、およびアダプタ６００を備える。
【０１０５】
実施の形態２に係る送風ユニット１００は、実施の形態１と比較して、第１導出口１２２が、第１側面１１３よりも内側に設けられており、第１導出口１２２の開口端を取り囲むようにシール部５５０が第１側面１１３上に設けられている点において相違する。その他の構成については、ほぼ同様である。第１導出口１２２には、後述するように、加湿ユニット２００Ａの接続口２２１またはアダプタ６００が着脱可能に接続される。
【０１０６】
加湿ユニット２００Ａは、実施の形態１と比較して、第２導出口２２２が、第２筐体２１０の上面よりも内側に設けられている点において相違する。その他の構成については、ほぼ同様である。加湿ユニット２００Ａは、送風ユニット１００に着脱可能に接続される。第２導出口２２２には、アダプタ６００が着脱可能に接続される。なお、第２導出口２２２の内径は、接続口２２１の内径よりも大きくなっている。
【０１０７】
図１４は、実施の形態２に係るアダプタの上面図である。上述の図１３と図１４とを参照して、アダプタ６００について説明する。
【０１０８】
アダプタ６００は、ホース３００が着脱可能に外嵌めされる外側接続部Ｒ４を外周面に有する一端６００ａ側と、第１導出口１２２または前記第２導出口２２２に着脱可能に連結される接続ポート６１０が設けられた他端６００ｂ側とを有する。
【０１０９】
アダプタ６００は、二重管構造を有する。接続ポート６１０は、外側筒状部６１１および内側筒状部６１２を含む。内側筒状部６１２は、アダプタ６００の他端６００ｂ側に向けて外側筒状部６１１から突出するように、外側筒状部６１１の内側に配置されている。たとえば、内側筒状部６１２は、その中心軸が、外側筒状部６１１の中心軸と同軸となるように配置されている。
【０１１０】
内側筒状部６１２は、複数の連結部６１３によって外側筒状部６１１に連結されている。複数の連結部６１３の各々は、内側筒状部６１２の外周面と外側筒状部６１１の内周面とを連結する。複数の連結部６１３は、たとえば１２０度ピッチで周方向に配置される。
【０１１１】
外側筒状部６１１には、アダプタ６００の一端６００ａ側に向けて延在する筒状部６２０が一体化されている。筒状部６２０の外周面に、ホース３００を接続するための外側接続部Ｒ４が形成されている。
【０１１２】
内側筒状部６１２は、第１導出口１２２に内嵌め可能に構成されている。外側筒状部６１１は、第２導出口２２２に内嵌め可能に構成されている。これにより、アダプタ６００は、送風ユニット１００および加湿ユニット２００Ａのそれぞれに着脱可能に接続されることとなる。
【０１１３】
第１導出口１２２に挿入される部分の内側筒状部６１２の外形は、外側接続部Ｒ４が設けられている部分のアダプタ６００の外形よりも小さくなっている。すなわち、内側筒状部６１２の外形は、筒状部６２０の外形よりも小さくなっている。
【０１１４】
図１５は、実施の形態２に係るＣＰＡＰ装置の第１使用状態を示す図である。図１５を参照して、ＣＰＡＰ装置１Ｂの第１使用状態について説明する。
【０１１５】
図１５に示すように、ＣＰＡＰ装置１Ｂの第１使用状態においては、加湿ユニット２００Ａが送風ユニット１００に取付けられ、かつ、アダプタ６００が加湿ユニット２００Ａに取り付けられた状態で、ＣＰＡＰ装置１Ａが使用される。この場合には、加湿ユニット２００Ａに取り付けられたアダプタ６００の一端６００ａ側にホース３００の一端が接続される。
【０１１６】
具体的には、加湿ユニット２００Ａの接続口２２１を送風ユニット１００の第１導出口１２２に挿入して、当該接続口２２１を第１導出口１２２に内嵌めする。なお、図１５においては、第１導出口１２２と接続口２２１との間にシール部が図示されていないが、変形例１，２同様にシール部が設けられていてもよい。また、第１導出口１２２の内周面には、実施の形態１同様に段差部が設けられていてもよい。この場合には、第１導出口１２２と接続口２２１との接続構造は、実施の形態１、変形例３、４と同様であってもよい。
【０１１７】
アダプタ６００を加湿ユニット２００Ａに取り付ける際には、外側筒状部６１１が第２導出口２２２に挿入される。なお、図１５においては、第２導出口２２２と外側筒状部６１１との間にシール部が図示されていないが、変形例１，２の接続構造と同様にシール部が設けられていてもよい。また、第２導出口２２２の内周面には、実施の形態１における第１導出口１２２と同様に段差部が設けられていてもよい。この場合には、第２導出口２２２と外側筒状部６１１との接続構造は、実施の形態１、変形例３、４における第１導出口１２２と接続口２２１との接続構造と同様であってもよい。
【０１１８】
外側筒状部６１１が第２導出口２２２に挿入されるにあたり、第２導出口２２２の内径は、接続口２２１の内径よりも大きくなる。これにより、実施の形態１同様に、接続口２２１から加湿ユニット２００Ａ内の混合室に導入される空気に水分５０１を効果的に混合することができる。
【０１１９】
また、アダプタ６００にホース３００を接続する際には、アダプタ６００の外側接続部Ｒ４にホース３００の一端側を外嵌めする。
【０１２０】
第１使用状態においては、送風ユニット１００に設けられた送風機１４０が駆動されることで、送風ユニット１００に設けられた第１導入口１２１からＣＰＡＰ装置１Ａの内部に空気が吸入され、吸入された空気が接続口２２１を通過して、加湿ユニット２００Ａの混合室に導入される。混合室に導入された空気は、適度な水分が混合されて、外側筒状部６１１の内側を通過して、第２導出口２２２からＣＰＡＰ装置１Ａの外部へと排出される。これにより、第２導出口２２２から排出された空気が、ホース３００およびマスク４００を経由して使用者の気道に送り込まれることになる。
【０１２１】
図１６は、実施の形態２に係るＣＰＡＰ装置の第２使用状態を示す図である。図１６を参照して、ＣＰＡＰ装置１Ｂの第２使用状態について説明する。
【０１２２】
図１６に示すように、ＣＰＡＰ装置１Ｂの第２使用状態においては、加湿ユニット２００Ａではなくアダプタ６００が取り付けられた状態で、ＣＰＡＰ装置１Ａが使用される。この場合には、送風ユニット１００に取り付けられたアダプタ６００の一端６００ａ側にホース３００の一端が接続される。
【０１２３】
具体的には、アダプタ６００を加湿ユニット２００Ａに取り付ける際には、外側筒状部６１１から突出する部分の内側筒状部６１２が第１導出口１２２に挿入され、これにより、内側筒状部６１２を第１導出口１２２に内嵌めされる。この状態においては、他端６００ｂ側に位置する外側筒状部６１１の端部と第１筐体１１０との間でシール部５５０が挟持される。シール部５５０は、外側筒状部６１１と内側筒状部６１２との間から空気が漏れることを防止することができる。
【０１２４】
ここで、第１導出口１２２に接続される部分の内側筒状部６１２の外形は、第１導出口１２２に接続される部分の接続口２２１の外形と同一である。このため、第１導出口１２２と内側筒状部６１２との接続構造は、第１導出口１２２と接続口２２１との接続構造とを共通化することができる。
【０１２５】
また、アダプタ６００にホース３００を接続する際には、アダプタ６００の外側接続部Ｒ４にホース３００の一端側を外嵌めする。
【０１２６】
このように、ホース３００は、第１使用状態および第２使用状態のいずれであっても、アダプタ６００の外側接続部Ｒ４に外嵌めされる。ホース３００は可撓性および柔軟性を有するため、当該ホース３００を上記外側接続部Ｒ４に密着して接続させることができる。
【０１２７】
ここで、第１導出口１２２に接続される部分の接続ポート６１０の外形（すなわち、内側筒状部６１２の外形）は、外側接続部Ｒ４が設けられている部分のアダプタ６００の外形（外側筒状部６１１の外形）よりも小さくなっている。内側筒状部６１２の外形と同一である接続口２２１の外形も、同様に、外側接続部Ｒ４が設けられている部分のアダプタ６００の外形よりも小さくなっている。
【０１２８】
このため、第１導出口１２２の内表面を接続口２２１または内側筒状部６１２の外表面に圧接させた場合に、周方向において、接続口２２１または内側筒状部６１２の受圧面積を小さくすることができる。この結果、接続口２２１または内側筒状部６１２と第１導出口１２２との密閉性を容易に確保することができる。
【０１２９】
このように、実施の形態２に係るＣＰＡＰ装置１Ｂにあっても、アダプタ６００を用いて規格化されたホース３００と送風ユニット１００または加湿ユニット２００Ａとの接続を最適化するとともに、送風ユニット１００と加湿ユニット２００Ａとの接続を最適化することができる。
【０１３０】
（その他の変形例）
図１７は、加湿ユニットとアダプタの接続構造の変形例を示す図である。図１７を参照して、加湿ユニット２００Ａとアダプタ６００の接続構造の変形例について説明する。
【０１３１】
図１７に示すように、加湿ユニット２００Ａの第２導出口２２２は、送風ユニット１００の第１導出口１２２と同様に構成されており、加湿ユニット２００Ａにアダプタ６００を取り付ける際には、第２導出口２２２に内側筒状部６１２のみが挿入されてもよい。この場合においても、実施の形態２とほぼ同様の効果が得られる。
【０１３２】
図１８は、送風ユニットとアダプタの接続構造の変形例を示す図である。図１８を参照して、送風ユニット１００とアダプタ６００の接続構造の変形について説明する。
【０１３３】
図１８に示すように、内側筒状部６１２および接続口２２１は、ホース３００が接続される部分の外側筒状部６１１の外形よりも小さい外形を有する限り、第１導出口１２２に外嵌めされてもよい。この場合においても、実施の形態２とほぼ同様の効果が得られる。
【０１３４】
上述した実施の形態１から２，変形例１から４、およびその他の変形例においては、第２ユニットとして加湿ユニット２００Ａを用いる場合を例示して説明したが、これに限定されず、気体に香りを含ませるために芳香ユニットが用いられてもよい。この場合には、芳香ユニットは、微小液滴として霧状化された香料等の匂い香り成分を空気に含ませる。また、加湿ユニット２００Ａに代えて、微小液滴として薬剤を噴霧するネブライザー等が用いられてもよい。
【０１３５】
上述した実施の形態１から２，変形例１から４、およびその他の変形例の特徴部分を適宜組み合わせることは、当初から予定されている。
【０１３６】
以上、今回発明された実施の形態１から２、変形例１から４、およびその他の変形例はすべての点で例示であって制限的なものではない。本発明の範囲は請求の範囲によって示され、請求の範囲と均等の意味および範囲内でのすべての変更が含まれる。
【符号の説明】
【０１３７】
１Ａ，１Ｂ  装置、１０  異物、１００  送風ユニット、１１０  第１筐体、１１１  操作面、１１２  載置面、１１３  第１側面、１２０  第１流路、１２０Ａ  上流側流路部、１２０Ｂ  下流側流路部、１２１  第１導入口、１２２  第１導出口、１２２ａ  第１内周面、１２２ｂ  第２内周面、１２２ｃ  段差部、１２２ｄ  内周面、１３０  制御部、１３１  操作部、１３２  温湿度センサ、１３３  流量センサ、１３４  圧力センサ、１３５  消費電力センサ、１４０  送風機、１４２  ケーシング、１４３  吸入口、１４４  排出口、１５０  サイレンサー、２００Ａ  加湿ユニット、２１０  第２筐体、２１１  側面、２１２  載置面、２１２ａ  開口部、２１３  第２側面、２１４  蓋体、２１６  加圧室、２１７  混合室、２２１  接続口、２２２  第２導出口、２２６，２２７  流路、２３０  水供給路、２４１  可撓性リザーバ、２５０  ヒータ、２５１  温度センサ、２６０  圧電ポンプ、２７０  電磁弁、３００  ホース、４００  マスク、５００  シール部、５０１  水分、５５０  シール部、６００  アダプタ、６００ａ  一端、６００ｂ  他端、６１０  接続ポート、６１１  外側筒状部、６１２  内側筒状部、６１３  連結部、６２０  筒状部、Ｒ１  第１外側接続部、Ｒ２  第２外側接続部、Ｒ３  内側接続部、Ｒ４  外側接続部。
【図１】
2020175032.tif 000003
【図２】
2020175032.tif 000004
【図３】
2020175032.tif 000005
【図４】
2020175032.tif 000006
【図５】
2020175032.tif 000007
【図６】
2020175032.tif 000008
【図７】
2020175032.tif 000009
【図８】
2020175032.tif 000010
【図９】
2020175032.tif 000011
【図１０】
2020175032.tif 000012
【図１１】
2020175032.tif 000013
【図１２】
2020175032.tif 000014
【図１３】
2020175032.tif 000015
【図１４】
2020175032.tif 000016
【図１５】
2020175032.tif 000017
【図１６】
2020175032.tif 000018
【図１７】
2020175032.tif 000019
【図１８】
2020175032.tif 000020
【国際調査報告】
2020175032.tif 000021
2020175032.tif 000022
2020175032.tif 000023
2020175032.tif 000024